(57)【要約】【課題】集合住宅の玄関部分となる共用出入り口部に設けられる施錠可能な開閉装置を、強風による不具合を回避しつつ、防犯性に優れるように構成する。【解決手段】開閉装置４を、開閉自在なドア体５と、該ドア体５の戸先側に設けられ、ドア体５とのあいだに施錠具Ｒが配される袖部材６とを備えて構成し、前記袖部材６を、出入り方向を貫通する第一、第二、第三スリットＳ１、Ｓ２、Ｓ３が区画形成されるよう四本の第一〜第四縦桟８、９、１０、１１を用いて構成するとともに、袖部材６に形成される第一、第二、第三スリットＳ１、Ｓ２、Ｓ３のうち、施錠具Ｒを解錠操作するサムターン７ａ（操作具）近傍となる部位を塞ぎ体により覆蓋する構成とする。【選択図】図１
2013159991.tif 000002
【特許請求の範囲】
【請求項１】
集合住宅の玄関部分となる共用出入り口部に施錠可能な開閉装置を設けるにあたり、開閉装置を、開閉自在なドア体と、該ドア体の戸先側に設けられ、ドア体とのあいだに施錠具が配される袖部材とを備えて構成し、前記袖部材を、出入り方向を貫通するスリットが複数区画形成されるよう複数の桟材を用いて構成するとともに、袖部材に形成されるスリットのうち、施錠具を解錠操作する操作具近傍となる部位を塞ぎ体により覆蓋する構成としたことを特徴とする集合住宅における玄関構造。
【請求項２】
塞ぎ体を、少なくとも一つのメールボックスを用いて構成したことを特徴とする請求項１に記載の集合住宅における玄関構造。
【請求項３】
開閉装置は、少なくとも左右何れかの側部と出入り口部とのあいだに所定の間隙を存して設けられていることを特徴とする請求項１または２に記載の集合住宅における玄関構造。
【発明の詳細な説明】
【技術分野】
【０００１】
本発明は、マンション等の集合住宅の共用の出入り口部である集合住宅における玄関構造の技術分野に関するものである。
【背景技術】
【０００２】
一般に、マンション等の集合住宅では、建築物全体に対し共用の出入り口部となる玄関に施錠可能な開閉装置を設けて、該玄関を通過してから各住戸にアクセスするように構成することで、外部からの不審者の侵入が阻止される等、高いセキュリティーが確保されるようにしたものがある。このようなものとしては、玄関口が開設される仕切り壁を、施錠具付きのドア体と、該ドア体の左右に続く一対の袖壁ユニットとで構成し、左右の袖壁ユニットに、セキュリティー用の集合玄関機と、集合郵便受けとをそれぞれ設けるようにしたものが提唱されている。
【先行技術文献】
【特許文献】
【０００３】
【特許文献１】特開２００３−２７７５３号公報
【発明の概要】
【発明が解決しようとする課題】
【０００４】
しかしながら、前記従来のものは、ドア体と袖壁ユニットとで構成される仕切り壁が屋内外を分断しており、ドア体を全閉状態とした場合では屋内外の通気が遮断するような構成となっている。このため、屋内外の一体感が乏しいという意匠上の問題の他に、屋内外に気圧差が生じてドア体の開放操作が重くなるという問題が生じる。そのうえ、開閉装置が強風に曝されるような環境に設けられる場合では、ドア体の開放操作が一層重くなって、開放し難くなり、これらに本発明の解決すべき課題がある。
【課題を解決するための手段】
【０００５】
本発明は、上記の如き実情に鑑みこれらの課題を解決することを目的として創作されたものであって、請求項１の発明は、集合住宅の玄関部分となる共用出入り口部に施錠可能な開閉装置を設けるにあたり、開閉装置を、開閉自在なドア体と、該ドア体の戸先側に設けられ、ドア体とのあいだに施錠具が配される袖部材とを備えて構成し、前記袖部材を、出入り方向を貫通するスリットが複数区画形成されるよう複数の桟材を用いて構成するとともに、袖部材に形成されるスリットのうち、施錠具を解錠操作する操作具近傍となる部位を塞ぎ体により覆蓋する構成としたことを特徴とする集合住宅における玄関構造である。
請求項２の発明において、塞ぎ体を、少なくとも一つのメールボックスを用いて構成したことを特徴とする請求項１に記載の集合住宅における玄関構造である。
請求項３の発明において、開閉装置は、少なくとも左右何れかの側部と出入り口部とのあいだに所定の間隙を存して設けられていることを特徴とする請求項１または２に記載の集合住宅における玄関構造である。
【発明の効果】
【０００６】
請求項１の発明とすることにより、開閉装置のドア体が強風により開閉し難い等の不具合が回避されてドア体を操作性よく開閉操作できるものでありながら、防犯性に優れた開閉装置とすることができる。
請求項２の発明とすることにより、袖部材にメールボックスを組み込むことができて、共用の玄関スペースに別途メールボックスを設ける工事が不要になる。
請求項３の発明とすることにより、屋内外の通気が一層向上するうえ、意匠性にも優れる。
【図面の簡単な説明】
【０００７】
【図１】開閉装置の設置状態を説明する正面図である。
【図２】図２（Ａ）、（Ｂ）はそれぞれ図１におけるＸ−Ｘ断面図、Ｙ−Ｙ断面図である。
【図３】図３（Ａ）、（Ｂ）はそれぞれ図１におけるＺ−Ｚ断面図、第二、第三、第四縦桟の断面図である。
【図４】図４（Ａ）、（Ｂ）、（Ｃ）、（Ｄ）はそれぞれメールボックスの平面図、正面図、側面図、背面図である。
【図５】図５（Ａ）、（Ｂ）、（Ｃ）はそれぞれ第二、第三、第四の実施の形態における開閉装置の正面図である。
【図６】第五の実施の形態における開閉装置の設置状態を説明する正面図である。
【発明を実施するための形態】
【０００８】
以下、本発明の実施の形態について、図面に基づいて説明する。
図面において、１は集合住宅の玄関部分を構成する壁体であって、該壁体１には、共用の出入り口部となる開口Ｈが開設されるが、開口Ｈは壁体1の床部２から天井部３に至る部位を切欠くことにより形成され、ここに、本発明が実施された開閉装置４が設けられる構成となっている。そして、開口Ｈ形成部位の床部２には凹部２ａが形成される一方、天井部３には左右一対の取付け金具３ａが下方に向けて突設されている。
【０００９】
前記開閉装置４は、ドア体５と、該ドア体５の戸先側に位置して開口Ｈに一体的に設けられる袖部材６とを備えて構成されているが、ドア体５は、開口Ｈの間口高さよりも低位に設定されており、ドア体５は、下端部と床部２とのあいだに僅かな隙間を存して配設される一方、上端部と天井部３とのあいだには所定の間隙が形成されるように構成されている。これに対し、袖部材６は開口Ｈの間口高さと略同様になるように寸法設定されており、下端部が床部２の凹部２ａに没入し、上端部がドア体５の上端部を越えて天井部３近傍に至るように配設されている。
【００１０】
前記ドア体５は、平板状の鏡板５ａと鏡板５ａの四周に一体化される戸先側、戸尻側、および、上下の框材５ｂ、５ｃ、５ｄ、５ｅとを一体化することにより構成されている。尚、ドア体５は、図１において鏡板５ａの右側に位置する戸先側の框材５ｂに、把手５ｆと、該把手５ｆの上方に位置して施錠具Ｒを構成する錠本体７とが設けられている。尚、錠本体７は一般的なシリンダー錠が用いられており、図示しない鍵によるドア体５の屋外側からの操作や、ドア体５の屋内側に設けられ、施錠具Ｒを施錠−解錠操作可能なサムターン７ａ（本発明の操作具に相当する）の回転操作により、デッドボルト７ｂが戸先側の框材５ｂから出没するように構成されている。
【００１１】
一方、袖部材６は、縦方向に長い複数の縦桟（本発明の桟材に相当する）であって、本実施の形態では、四本の縦桟である第一、第二、第三、第四縦桟８、９、１０、１１を用いて構成されている。つまり、袖部材６は、第一〜第四縦桟８、９、１０、１１を左右方向に所定間隙を存して配設することにより構成されており、第一縦桟８がドア体５の戸先側の框材５ｂに近接対向して配設されている。そして、袖部材６は、第一〜第四縦桟８、９、１０、１１の各隣接するもの同士のあいだに、出入り方向（屋内外方向）が貫通する第一、第二、第三スリットＳ１、Ｓ２、Ｓ３がそれぞれ上下方向に長く形成され、これら第一、第二、第三スリットＳ１、Ｓ２、Ｓ３を介して内外の通気がなされるように構成されている。また、ドア体５の戸先側に隣接する第一縦桟８の戸尻側端面には施錠具Ｒを構成する錠受け具１２が設けられており、該錠受け具１２にドア体５の戸先側の框材５ｂから出没する錠本体７のデッドボルト７ｂが係脱することにより、ドア体５が袖部材６に対して施錠状態−解錠状態の何れかの状態になるように構成されている。
【００１２】
さらに、開閉装置４は、ドア体５の戸尻側に位置し、袖部材６（第一〜第四縦桟８、９、１０、１１）と同様の上下方向高さに寸法設定され、下端部が床部２の凹部２ａに没入し、上端部がドア体５の上端部を越えて天井部３に至る縦部材１３が配設されている。そして、縦部材１３と第一縦桟８とは、ドア体５の直上に位置する横部材１４により一体的に連結されており、該横部材１４の上方となる縦部材１３と袖部材６（第一〜第四縦桟８、９、１０、１１）の上端部同士は、上枠材１５により一体的に連結されている。これによって、横部材１４と上枠材１５とのあいだに出入り方向に貫通する上部開口Ｈ１が形成され、該上部開口Ｈ１を介して通気がなされるように構成されている。
また、袖部材６である第一〜第四縦桟８、９、１０、１１の下端部同士は下枠材１６により一体的に連結されている。
【００１３】
このように、縦部材１３、第一縦桟８、横部材１４、床部２により四周を囲繞されるドア体５は上下一対のピボットヒンジ１７により連結されており、ドア体５の戸尻側の框材５ｃには、屋外側面の上下端部に位置してピボットヒンジ１７を構成する軸部１７ａがそれぞれ同軸状に設けられている。そして、上側の軸部１７ａを横部材１４戸尻側の屋外側面に設けられるピボットヒンジ１７の上側ピボット受け１７ｂに、下側の軸部１７ａを縦部材１３下端部の屋外側面に設けられるピボットヒンジ１７の下側ピボット受け１７ｃにそれぞれ回転自在に軸承することにより、固定部材となる縦部材１３、第一縦桟８、横部材１４、床部２に対して開閉揺動自在となるように構成されている。そして、ドア体５は、縦部材１３、第一縦桟８、横部材１４、床部２に囲繞される空間を閉鎖する全閉姿勢と、ピボットヒンジ１７を介して屋外側に揺動して、縦部材１３、第一縦桟８、横部材１４、床部２により囲繞される空間を開放し、屋内外の出入りを可能とする開放姿勢とに変姿するように構成されている。
尚、１８は全閉姿勢のドア体５の戸先側の下端部に対向して第一縦桟８の下端部に設けられる戸当たり部材、１４ａは全閉姿勢のドア体５の上縁部に対向して横部材に設けられる戸当たり片部１４ａであって、これら戸当たり部材１８、戸当たり片部１４ａは、ドア体５が全閉姿勢を越えて屋内側に揺動するのを規制するように構成されている。また、１４ｂはドア体５の上端部と横部材１４とのあいだに設けられるドアクローザである。
【００１４】
さらに、開閉装置４の上枠材１５には、天井部３に配される取付け金具３ａに対向して左右一対の取付け片１５ａが上方に向けて突出状に設けられている。そして、開閉装置４は、ドア体５の下端縁よりも下方に延出する縦部材１３の下端部を、床部２に形成される凹部２ａに固定された固定金具２ｂに連結するとともに、袖部材６の下端部に設けらる下枠材１６を、凹部２ａに高さ調整可能な状態で固定された左右方向長尺状のベース片２ｃに一体化する一方、上枠材１５の取付け片１５ａを、天井部３に設けた取付け金具３ａに積層状に宛てがって螺着することにより、開口Ｈに一体的に固定されている。
尚、３ｂは天井部３の下方の上枠材１５の上半部を覆うように設けられる飾り天井であって、該飾り天井３ｂは上枠材１５に固定される取付け金具１５ｂを介して固定されている。
【００１５】
そして、出入り口部となる開口Ｈに立設された開閉装置４（ドア体５）は、戸尻方向の端部となる縦部材１３と、開口部Ｈの戸尻側部位を構成する壁体１とのあいだに出入り方向を貫通する第四スリットＳ４が形成され、開閉装置４（ドア体５）の戸先方向の端部となる第四縦桟１１と、開口部Ｈの戸先側部位を構成する壁体1とのあいだに出入り方向を貫通する第五スリットＳ５が形成され、開閉装置４の左右両側部と出入り口部（開口Ｈ）を構成する壁体１とのあいだに所定間隙が形成されている。この結果、開閉装置４は、第一〜第四縦桟８、９、１０、１１のあいだに形成される第一、第二、第三スリットＳ１、Ｓ２、Ｓ３、さらには、開閉装置４の左右端部に形成される第四、第五スリットＳ４、Ｓ５、また、ドア体５の上方に形成される上部開口Ｈ１により、ドア体５の近傍に出入り方向に貫通する部位が複数形成されるように構成されている。これによって、玄関部分において屋内外の一体感が得られて意匠性に優れるばかりでなく、屋内外の通気が良好に図られて、屋内外に気圧差が形成されるような不具合がないうえ、玄関部分に強風が吹き付けるような場合であっても、ドア体５に作用する風圧が軽減されて、ドア体５が開放し難くなるようなことを回避できるように構成されている。
尚、前記第一〜第五スリットＳ１、Ｓ２、Ｓ３、Ｓ４、Ｓ５は何れも人が通過することができない間隙となっており、これらの間隙から不審者が侵入する惧れはないように設定されている。
【００１６】
このように、袖部材６に第一、第二、第三スリットＳ１、Ｓ２、Ｓ３を形成した場合、これら出入り方向に貫通する第一、第二、第三スリットＳ１、Ｓ２、Ｓ３から手を差し入れられることが想定される。そして、これら手を差し入れることが可能な第一、第二、第三スリットＳ１、Ｓ２、Ｓ３が形成される袖部材６は、施錠具Ｒを解錠する操作具（サムターン７ａ）の近傍に位置しているため、サムターン７ａを解錠操作されてしまうことが想定される。
そこで、本実施の形態では、操作具近傍の部位として第一、第二、第三スリットＳ１、Ｓ２、Ｓ３の上下方向中間部を設定し、該部位を塞ぎ体により覆蓋するように構成されている。そして、本実施の形態では、塞ぎ体として、各住戸用にそれぞれ設けられる複数個（本実施の形態では９個）のメールボックス１９が用いられている。
【００１７】
前記メールボックス１９は、屋内側の側片が切欠かかれて出し入れ口１９ａが形成された直方体形状の本体部１９ｂと、前記出し入れ口１９ａを開閉する施錠具１９ｃ付きの蓋体１９ｄとにより構成されており、本体部１９ｂの屋外側の側片には投入口１９ｅが開設されている。前記メールボックス１９は、長尺方向が縦方向を向く状態で組込まれるように構成されており、本体部１９ｂの左右側片の屋外側（投入口１９ｅ側）部位には第一〜第四縦桟８、９、１０、１１に螺着固定するための二つの貫通孔１９ｆが上下方向に並列して開設されている。
【００１８】
一方、これらメールボックス１９が組込まれる第一〜第四縦桟８、９、１０、１１により構成される第一、第二、第三スリットＳ１、Ｓ２、Ｓ３は、メールボックス１９が嵌入組込み可能な左右幅に設定されている。
ここで、第一〜第四縦桟８、９、１０、１１のうち、第二〜第四縦桟９、１０、１１は同様の構成となっている。これら第二〜第四縦桟９、１０、１１は、図３（Ｂ）に示すように、長尺状の金属製板材を折曲することにより形成される四角筒形状の右側片に開口が形成された第一部材９ａ、１０ａ、１１ａと、長尺状の金属製板材を折曲することにより左側が開口するコ字状に形成され、第一部材９ａ、１０ａ、１１ａの開口に嵌入して第一部材９ａ、１０ａ、１１ａとともに右側片を構成する第二部材９ｂ、１０ｂ、１１ｂと、長尺状の金属製板材を折曲することにより左側が開口するコ字状に形成され、第一部材９ａ、１０ａ、１１ａの筒内に内装され、第二部材９ｂ、１０ｂ、１１ｂに螺着されることで第一、第二部材９ａ、１０ａ、１１ａ、９ｂ、１０ｂ、１１ｂを一体化する第三部材９ｃ、１０ｃ、１１ｃとにより構成されている。そして、第一、第二、第三スリットＳ１、Ｓ２、Ｓ３に対向する第一、第二部材９ａ、１０ａ、１１ａ、９ｂ、１０ｂ、１１ｂの屋内外方向中間部には、上下方向に三個づつ並列して組込まれるメールボックス１９を螺着するための螺子孔（図示せず）が、各本体部１９ｂの左右側片に開設される貫通孔１９ｆに対向してそれぞれ形成されている。
【００１９】
そして、各メールボックス１９は、本体部１９ｂの長尺方向を縦方向とし、本体部１９ｂの屋外側部位を第一、第二、第三スリットＳ１、Ｓ２、Ｓ３の対応する箇所に挿し込み、屋内側の出し入れ口１９ａを介して本体部１９ｂ内から螺子１９ｇを左右の側片に開設された貫通孔１９ｆに挿入し、該螺子１９ｇを、第一、第二部材９ａ、１０ａ、１１ａ、９ｂ、１０ｂ、１１ｂに形成される螺子孔に螺着することにより第一〜第四縦桟８、９、１０、１１に止着されるように構成されている。このとき、上下方向に並列するメールボックス１９は、上下方向に隙間が形成されることがないように組込まれており、これによって、サムターン７ａ近傍部位となる第一、第二、第三スリットＳ１、Ｓ２、Ｓ３の上下方向中間部が覆蓋されて出入り方向に貫通することがなく、不審者が各スリットＳ１、Ｓ２、Ｓ３の出入り方向に貫通する部位から手を差し入れたとしても、サムターン７ａに届くことがないように構成されている。この結果、開閉装置４は、袖部材６に通気用の第一、第二、第三Ｓ１、Ｓ２、Ｓ３が形成されて、屋内外に気圧差が発生することや、風圧に起因してドア体５が開放し難くなるような不具合を解消できるようにしたものでありながら、サムターン７ａを操作されるような不具合がなく防犯性が確保されるように構成されている。
【００２０】
尚、第一縦桟８はドア体５の戸尻側に設けられる縦部材１３と同様に構成されている。さらに、第一縦桟８と縦部材１３とは、前記第二〜第四縦桟９、１０、１１と同様に、第一、第二、第三部材８ａ、８ｂ、８ｃ、１３ａ、１３ｂ、１３ｃを備えているが、第一部材８ａ、１３ａを、第二〜第四縦桟９、１０、１１の第一部材９ａ、１０ａ、１１ａの左右幅寸法よりも長い左右幅寸法を存して形成することにより、第一縦桟８と縦部材１３とがドア体５の枠材として機能するために設けられる錠受け具１２、ピボットヒンジ１７の下側ピボット受け１７ｃの配設スペースが確保されるように構成されている。また、縦部材１３は第一縦桟８に対して１８０度回転させた勝手違いとして用いられており、これによって、縦方向の部材の共通化、構成の簡略化が図られている。
【００２１】
叙述の如く構成された本形態において、集合住宅の共用出入り口部となる玄関部分に設けられる開閉装置４は、開閉揺動自在なドア体５と、該ドア体５の戸先側に設けられ、ドア体５とのあいだに施錠具Ｒが配される袖部材６とを備えて構成されるが、前記袖部材６は、第一、第二、第三、第四縦桟８、９、１０、１１を用い、これら各縦桟８、９、１０、１１のあいだに出入り方向を貫通する第一、第二、第三スリットＳ１、Ｓ２、Ｓ３が複数区画形成されている。これによって、開閉装置４を、屋内外の一体感が図れて意匠性に優れたものとするとともに、屋内外に生じる気圧差や、ドア体５に強風が吹き付けることによりドア体が開放しにくくなるような不具合を回避することができる。
さらに、このものでは、第一、第二、第三スリットＳ１、Ｓ２、Ｓ３の上下方向中間部であって、施錠具Ｒを解錠操作可能な操作具であるサムターン７ａが配設される箇所の近傍に位置する部分に、メールボックス１９が塞ぎ体として組込まれて出入り方向の貫通部が覆蓋されているため、開閉装置４の外部からサムターン７ａにアクセスされることがなく、防犯性を損なうことがない。この結果、開閉装置４を、屋内外のあいだに生じる気圧差や、ドア体５に作用する風圧に起因して発生する不具合が回避されてドア体５を操作性よく操作できるものでありながら、防犯性に優れた開閉装置４とすることができる。
【００２２】
このように、本発明が実施された開閉装置４は、操作性、意匠性が優れるうえに、施錠具Ｒのサムターン７ａにアクセスすることが回避されて防犯性に優れたものであるが、このものでは、さらに、第一、第二、第三スリットＳ１、Ｓ２、Ｓ３の塞ぎ体として各住戸にそれぞれ用意されるメールボックス１９を用いる構成としたので、共用の玄関スペースに別途メールボックスを設ける工事が不要になるという利点もある。
【００２３】
さらに、このものでは、開閉装置４の左右両側部と出入り口部である開口Ｈを構成する壁体１との間に第四、第五スリットＳ４、Ｓ５を設けるようにしたので、屋内外の通気が一層向上するという利点があるうえ、これら縦方向に長い第四、第五スリットＳ４、Ｓ５が、本実施の形態の袖部材６のように縦方向に長く形成される第一、第二、第三スリットＳ１、Ｓ２、Ｓ３とともに一体感のある間隙を構成することになって、優れた意匠とすることができる。
【００２４】
尚、本発明は前記実施の形態に限定されないことは勿論であって、桟材としては横方向を向く横桟を複数設けて、横方向に長いスリットを複数区画形成し、これらスリットのうち、施錠具の操作具近傍部位に位置するスリットに、出入り方向の貫通状態を覆蓋する塞ぎ体を設ける構成としてもよい。この場合に、塞ぎ体として第一の実施の形態で用いたメールボックスを用いる場合では、メールボックスの長尺方向を横方向に向けて用いることで対応することができる。
【００２５】
また、塞ぎ体としてメールボックスを用いる場合では、各住戸の戸数によってはスリットの操作具近傍部位を塞ぎきれないことが想定される。
そこで、図５（Ａ）、（Ｂ）に示す第二、第三の実施の形態のようにすることができる。
前記第二、第三の実施の形態の開閉装置２０、２１は、第一の実施の形態のドア体５、袖部材６等、同様の部材を用いて同様に形成されているため、これら同様の部材については同様の符号を付すことにより説明を省略する。
また、前記開閉装置２０、２１において、施錠具Ｒを解錠可能な操作具（サムターン７ａ）を操作可能な範囲としては、第一、第二スリットＳ１、Ｓ２の上下方向中間部が想定され、該部位を塞ぐことによりサムターン７ａを操作されることはないことが確認された。
そして、前記第二の実施の形態の開閉装置２０は、第一、第二スリットＳ１、Ｓ２に四個のメールボックス１９を組込む構成が示されており、この場合では、第一スリットＳ１に上下方向に三個のメールボックス１９を組込み、第二スリットＳ２には一個のメールボックス１９と、該メールボックス１９の上下に、メールボックス１９の左右幅と上下長さと同寸法に設定された塞ぎプレート２２を組込む構成となっている。そして、この場合でも、出入り方向に貫通する第一、第二スリットＳ1、Ｓ２の上下方向中間部が覆蓋されて、サムターン７ａにアクセスされることがなく防犯性に優れた開閉装置２０とすることができる。
また、第三の実施の形態の開閉装置２１は、第一、第二スリットＳ１、Ｓ２の上下方向中間部に六個のメールボックスが組込まれており、このものでも、第一、第二スリットＳ１、Ｓ２において、サムターン７ａにアクセス可能な範囲がメールボックス１９により覆蓋されて防犯性の優れた開閉装置２１とすることができる。
【００２６】
また、図５（Ｃ）に示す第四の実施の形態の開閉装置２３は、第一の実施の形態のドア体と袖部材との配設関係が左右勝手違いとなったものであり、該開閉装置２３も施錠具Ｒ近傍部位となる第一、第二、第三スリットＳ１、Ｓ２、Ｓ３の上下方向中間部がメールボックス１９により塞がれて、施錠具Ｒを解錠する操作具（サムターン１７ａ）にアクセスされることがなく、これによって、防犯性の優れた開閉装置２３とすることができる。
【００２７】
さらに、玄関部分としては、建築物に開設された開口部に限定されることはなく、玄関部分を、建築物と該建築物に続く敷地の境界部分に設置される仕切り体とのあいだとし、ここに、開閉装置を設ける構成であってもよい。その場合に、図６に示す第五の実施の形態のように、開閉装置２４の袖部材２５に隣接して設けられる外構部材としての仕切り体２６を、袖部材２５を構成する複数の縦桟２５ａと同様に複数の上下方向長尺状の柱体２６ａで構成し、これらの柱体２６ａを袖部材２５に形成される各スリットと同様に人が通り抜けられないスリットが形成されるように間隙を存して立設する構成としてもよく、このようにすることにより、防犯性にも優れるうえ、建築物と外構部材とが一体感のある外観となって意匠性に優れたものとすることができる。
【００２８】
また、開閉装置を、建築物の開口部ではなく、敷地の境界に設けられる外構部材である仕切り体に形成される開口部に設置して、建築物から離れた部位のゲートとして設ける構成としてもよい。
さらには、開閉装置のドア体としては、前記各実施の形態のように開き戸式とするほか、戸尻側に向けてスライド移動する引き戸式としてもよく、また、ドア体の上下方向高さを開口部の上下高さ（袖部材の上下高さ）に合わせて形成し、ドア体の上方に空間を形成しない構成としてもよい。
【産業上の利用可能性】
【００２９】
本発明は、集合住宅の共用玄関等に設けられる開閉装置に利用することができる。
【符号の説明】
【００３０】
１  壁体
２  床部
２ａ  凹部
３  天井部
３ａ  取付け金具
４  開閉装置
５  ドア体
６  袖部材
７  錠本体
７ａ  サムターン
８  第一縦桟
１３  縦部材
１７  ピボットヒンジ
１８  戸当たり部材
１９  メールボックス
【図１】
2013159991.tif 000003
【図２】
2013159991.tif 000004
【図３】
2013159991.tif 000005
【図４】
2013159991.tif 000006
【図５】
2013159991.tif 000007
【図６】
2013159991.tif 000008